(57)【要約】【課題】  アドレス設定の際の作業者の作業負担を増やすことなく、室外機とこれに連結された複数の室内機との対応関係が自動的にわかるようにしてアドレスの自動設定が可能なアドレス自動設定システムを提供する。【解決手段】  室外機−１、−２と、各室外機にそれぞれ連結された複数の室内機３と、試運転時に、複数の室内機３を運転状態にし、各室外機を所定間隔で順次に運転させる設定器８とからなり、室外機−１、−２は、試運転が開始されると、自己の識別情報を送信し、室内機３は、その識別情報を取り込んで記憶し、室外機−１、−２からの循環冷媒の温度変化を感知すると、自己の識別情報と共に室外機の識別情報を送信し、設定器８は、室内機３から送信された室内機及び室外機の各識別情報を受信し、室外機−１、−２に関連する複数の室内機３を特定して、この複数の室内機３にアドレスを割り当てる。【選択図】        図１
2006214689.tif 000002
【特許請求の範囲】
【請求項１】
複数の室外機と、各室外機にそれぞれ連結された複数の室内機と、試運転時に、前記複数の室内機を運転状態にし、かつ各室外機を所定間隔で順次に運転させる設定器とを備えた空気調和システムのアドレス自動設定方法において、
前記室外機は、試運転が開始されると、予め設定された識別情報を送信する工程を有し、
前記室内機は、前記識別情報を取り込んで記憶し、前記室外機からの循環冷媒の温度変化を感知すると、予め設定された識別情報と共に前記室外機の識別情報を送信する工程を有し、
前記設定器は、前記室内機から送信された室内機及び室外機の各識別情報を受信し、前記室外機に関連する複数の室内機を特定する工程と、この複数の室内機にアドレスを割り当てる工程とを有するアドレス自動設定方法。
【請求項２】
室内機及び室外機の各識別情報を受信した順にアドレスを割り当てることを特徴とする請求項１記載のアドレス自動設定方法。
【請求項３】
室外機に関連する複数の室内機を特定した際、グループとみなして各室内機にグループ情報を割り当てることを特徴とする請求項１又は２記載のアドレス自動設定方法。
【請求項４】
前記グループ情報毎に、操作入力に応じて各室内機にアドレスを割り当てることを特徴とする請求項３記載のアドレス自動設定方法。
【請求項５】
グループ毎の各室内機にアドレスを割り当てる際、各室内機に予め設定された位置情報に基づいて連番のアドレスを割り当てることを特徴とする請求項３記載のアドレス自動設定方法。
【請求項６】
複数の室外機と、各室外機にそれぞれ連結された複数の室内機と、試運転時に、前記複数の室内機を運転状態にし、かつ各室外機を所定間隔で順次に運転させる設定器とからなり、
前記室外機は、試運転が開始されると、予め設定された識別情報を送信する送信手段を備え、
前記室内機は、前記識別情報を取り込んで記憶し、前記室外機からの循環冷媒の温度変化を感知すると、予め設定された識別情報と共に前記室外機の識別情報を送信する室外機判別手段を備え、
前記設定器は、前記室内機から送信された室内機及び室外機の各識別情報を受信し、前記室外機に関連する複数の室内機を特定する室内機特定手段と、この複数の室内機にアドレスを割り当てるアドレス割当手段とを備えたことを特徴とするアドレス自動設定システム。
【請求項７】
前記アドレス割当手段は、室内機及び室外機の各識別情報を受信した順にアドレスを割り当てることを特徴とする請求項６記載のアドレス自動設定システム。
【請求項８】
前記アドレス割当手段は、前記室内機特定手段により室外機に関連する複数の室内機が特定された際、グループとみなして各室内機にグループ情報を割り当てることを特徴とする請求項６又は７記載のアドレス自動設定システム。
【請求項９】
前記アドレス割当手段は、前記グループ情報毎に、操作入力に応じて各室内機にアドレスを割り当てることを特徴とする請求項８記載のアドレス自動設定システム。
【請求項１０】
前記アドレス割当手段は、グループ毎の各室内機にアドレスを割り当てる際、各室内機に予め設定された位置情報に基づいて連番のアドレスを割り当てることを特徴とする請求項８記載のアドレス自動設定システム。
【請求項１１】
複数の室外機と、各室外機にそれぞれ連結された複数の室内機と、試運転時に、前記複数の室内機を運転状態にし、かつ各室外機を所定間隔で順次に運転させる室内機のコントローラとからなり、
前記室外機は、試運転が開始されると、予め設定された識別情報を送信する送信手段を備え、
前記室内機は、前記識別情報を取り込んで記憶し、前記室外機からの循環冷媒の温度変化を感知すると、他の室内機によりアドレスが使用されているかどうかを判別し、アドレスが使用されているときは、そのアドレスを除く他のアドレスを自己のアドレスとするアドレス判別手段と、該アドレス判別手段により判別されたアドレスを自己の識別情報と共に送信する送信手段とを備え、
前記コントローラは、前記室内機の識別情報とアドレスを関連付けて保持する保持手段を備えていることを特徴とするアドレス自動設定システム。
【請求項１２】
前記アドレス判別手段は、同一の室外機の識別情報をグループ情報として個々に設定することを特徴とする請求項１１記載のアドレス自動設定システム。
【請求項１３】
前記コントローラは、前記グループ情報毎に操作入力に応じてアドレスを割り当てるアドレス割当手段を備えていることを特徴とする請求項１２記載のアドレス自動設定システム。
【請求項１４】
前記アドレス割当手段は、グループ毎の各室内機にアドレスを割り当てる際、各室内機に予め設定された位置情報に基づいて連番のアドレスを割り当てることを特徴とする請求項１２記載のアドレス自動設定システム。
【請求項１５】
複数の室外機と、各室外機にそれぞれ連結された複数の室内機とを備えた空気調和システムの冷媒グループ自動設定方法において、
前記室外機の運転により変化した循環冷媒の状態を前記室内機が感知することにより、前記室外機と前記室内機とを関連付けることを特徴とする冷媒グループ自動設定方法。
【請求項１６】
複数の室外機と、各室外機にそれぞれ連結された複数の室内機とを備えた空気調和システムの冷媒グループ自動設定方法において、
前記複数の室内機を運転状態にし、かつ各室外機を所定間隔で順次に運転させ、前記室外機の運転により変化した循環冷媒の状態を前記室内機が感知することにより、前記室外機と前記室内機とを関連付けることを特徴とする冷媒グループ自動設定方法。
【請求項１７】
複数の室外機と、各室外機にそれぞれ連結された複数の室内機とを備えた空気調和システムの冷媒グループ自動設定方法において、
前記複数の室内機を運転状態にし、かつ各室外機を所定間隔で順次に運転させ、前記室外機は、試運転が開始されると予め設定された識別情報を前記室内機に送信し、前記室内機は、前記識別情報を取り込んで記憶し、前記室外機の運転により変化した循環冷媒の状態を感知することにより、前記室外機と関連付けることを特徴とする冷媒グループ自動設定方法。
【請求項１８】
複数の室外機と、各室外機にそれぞれ連結された複数の室内機とを備えた空気調和システムにおいて、
前記室外機の運転により変化した循環冷媒の状態を前記室内機が感知することにより、前記室外機と前記室内機とを関連付けることを特徴とする空気調和システム。
【請求項１９】
複数の室外機と、各室外機にそれぞれ連結された複数の室内機とを備えた空気調和システムにおいて、
前記複数の室内機を運転状態にし、かつ各室外機を所定間隔で順次に運転させ、前記室外機の運転により変化した循環冷媒の状態を前記室内機が感知することにより、前記室外機と前記室内機とを関連付けることを特徴とする空気調和システム。
【請求項２０】
複数の室外機と、各室外機にそれぞれ連結された複数の室内機とを備えた空気調和システムにおいて、
前記複数の室内機を運転状態にし、かつ各室外機を所定間隔で順次に運転させ、前記室外機は、試運転が開始されると予め設定された識別情報を前記室内機に送信し、前記室内機は、前記識別情報を取り込んで記憶し、前記室外機の運転により変化した循環冷媒の状態を感知することにより、前記室外機と関連付けることを特徴とする空気調和システム。
【発明の詳細な説明】
【技術分野】
【０００１】
本発明は、室外機と室内機との関連付けを冷媒循環の状態変化から感知して、その感知した室内機に自動的にアドレスを設定する空気調和システムに関するものである。
【背景技術】
【０００２】
ビルに配設された照明器具や空調室内機などの設備機器を通信網を通して遠隔制御・管理するシステムでは、設備機器を識別するためのアドレスが設定されている。設備機器にアドレスが必要なシステムとして、例えば一例として、複数の分岐ユニットと、複数の照明器具が設けられ各分岐ユニットに接続された複数の制御ユニットと、複数の分岐ユニットに接続された設定装置とで構成されたものがある。この従来例においては、設定装置の操作及び制御によって分岐ユニットと制御ユニットとに行列形式のアドレスが設定されるようになっている（例えば、特許文献１参照）。
【特許文献１】特開２００４−１７９９０７（第１３−２２頁、図６−図９）
【発明の開示】
【発明が解決しようとする課題】
【０００３】
前述した従来のシステムにおけるアドレス設定は、まず、作業者が設定装置を操作して、制御ユニット、分岐ユニット、設定装置などを建物の平面図上に配置した画面を表示部に表示し、この画面を参照して分岐ユニットや各分岐ユニットに接続される制御ユニットの個数を入力し、行番号データや列番号データの初期値を設定するようにしている。この入力操作は、多くの設備機器が配設されているビルでは作業量が多く、特に設備機器などの個数を誤って入力する可能性があった。
【０００４】
本発明は、前述のような課題を解決するためになされたもので、アドレス設定の際の作業者の作業負担を増やすことなく、室外機とこれに連結された複数の室内機との対応関係が自動的にわかるようにしてアドレスの自動設定が可能なアドレス自動設定方法及びシステム並びに冷媒グループ自動設定方法及び空気調和システムを提供することを目的とする。
【課題を解決するための手段】
【０００５】
本発明に係るアドレス自動設定方法は、複数の室外機と、各室外機にそれぞれ連結された複数の室内機と、試運転時に、複数の室内機を運転状態にし、かつ各室外機を所定間隔で順次に運転させる設定器とを備えた空気調和システムのアドレス自動設定方法において、室外機は、試運転が開始されると、予め設定された識別情報を送信する工程を有し、室内機は、前記識別情報を取り込んで記憶し、室外機からの循環冷媒の温度変化を感知すると、予め設定された識別情報と共に室外機の識別情報を送信する工程を有し、設定器は、室内機から送信された室内機及び室外機の各識別情報を受信し、室外機に関連する複数の室内機を特定する工程と、この複数の室内機にアドレスを割り当てる工程とを有する。
【０００６】
また、本発明に係るアドレス自動設定システムは、複数の室外機と、各室外機にそれぞれ連結された複数の室内機と、試運転時に、複数の室内機を運転状態にし、かつ各室外機を所定間隔で順次に運転させる室内機のコントローラとからなり、室外機は、試運転が開始されると、予め設定された識別情報を送信する送信手段を備え、室内機は、前記識別情報を取り込んで記憶し、室外機からの循環冷媒の温度変化を感知すると、他の室内機によりアドレスが使用されているかどうかを判別し、アドレスが使用されているときは、そのアドレスを除く他のアドレスを自己のアドレスとするアドレス判別手段と、アドレス判別手段により判別されたアドレスを自己の識別情報と共に送信する送信手段とを備え、コントローラは、室内機の識別情報とアドレスを関連付けて保持する保持手段を備えたものである。
【発明の効果】
【０００７】
本発明においては、試運転が開始されると、室外機が予め設定された識別情報を送信し、室内機は、その識別情報を取り込んで記憶し、室外機からの循環冷媒の温度変化を感知すると、予め設定された識別情報と共に室外機の識別情報を送信し、設定器は、室内機から送信された室内機及び室外機の各識別情報を受信して、室外機に関連する複数の室内機を特定し、この複数の室内機にアドレスを割り当てるようにしているので、室外機とこれに連結された複数の室内機との対応関係が自動的にわかり、複数の室内機に自動的にアドレスを割り当てることができ、作業者の作業負担を軽減できるという効果がある。
【０００８】
本発明においては、試運転が開始されると、室外機が予め設定された識別情報を送信し、室内機は、その識別情報を取り込んで記憶し、室外機からの循環冷媒の温度変化を感知すると、他の室内機によりアドレスが使用されているかどうかを判別し、アドレスが使用されているときは、そのアドレスを除く他のアドレスを自己のアドレスとし、このアドレスを自己の識別情報と共にコントローラに送信して、室内機の識別情報とアドレスを関連付けて保持させるようにしたので、室外機とこれに連結された複数の室内機との対応関係が自動的にわかり、複数の室内機に自動的にアドレスを割り当てることができ、作業者の作業負担を軽減できるという効果がある。
【発明を実施するための最良の形態】
【０００９】
以下、本発明のアドレス自動設定方法及びシステムについて図面を用いて説明する。
実施の形態１．
図１は本発明の実施の形態１における空気調和システムの概略構成を示す図、図２は空気調和システムに用いられる設定器の概略ブロック構成図、図３は空気調和システムの室外機の概略ブロック構成図、図４は空気調和システムの室内機の概略ブロック構成図である。
実施の形態１における空気調和システムは、例えば図１に示すように、ビルなどの建物の屋上に設置された室外機−１、−２と、室外機−１に冷媒配管４を介して連結された複数の室内機７と、室外機−２に冷媒配管５を介して連結された複数の室内機７と、室外機−１、−２にそれぞれ設けられた室外機制御装置６と、この二つの室外機制御装置６に通信網９を通じてそれぞれ接続された複数の室内機制御装置７と、通信網９上に配置された無線局（図示せず）を介して各制御装置６、７と通信する設定器８とでなっている。
【００１０】
設定器８は、図２に示すように、操作表示部８ａと、機器状態統合部８ｂと、通信網９上の無線局と送受信する通信管理部８ｃとを備えている。機器状態統合部８ｂは、試運転の際に通信管理部８ｃを通じて、複数の室内機３を運転状態にし、かつ各室外機−１、−２を所定間隔で順次に運転させる。また、この機器状態統合部８ｂは、室内機３から送信された室内機３及び室外機−１、−２の各ＩＤ（識別情報）を受信し、室外機−１、−２に関連する複数の室内機３を特定する室内機特定手段と、室内機３及び室外機−１、−２の各ＩＤを受信した順に室内機３のアドレスを割り当て、室内機特定手段により室外機−１、−２に関連する複数の室内機３が特定された際、グループとみなしてその室内機３のアドレスにグループＩＤ（情報）を割り当てるアドレス割当手段とを有している。
【００１１】
室外機制御装置６は、図３に示すように、機器状態管理部６ａと、室外機制御部６ｂと、通信管理部６ｃとを備えている。室外機制御部６ｂは、動作説明時に詳述するが、試運転が開始されると、予め設定された自己のＩＤ（識別情報）を通信管理部６ｃ通じて通信網９上の各室内機３に送信する送信手段を備え、試運転終了後の通常運転時（暖房、冷房などの運転）では、室内機３のコントローラ（図示せず）の操作に基づいてコンプレッサ、四方弁、ファンモータなどを制御する。機器状態管理部６ａは、室外機制御部６ｂからの制御に基づいてコンプレッサ、四方弁、ファンモータなどを運転してその状態を管理する。
【００１２】
室内機制御装置７は、図４に示すように、機器状態管理部７ａと、室内機制御部７ｂと、試運転時に受信される室外機−１、−２のＩＤ（識別情報）を格納するための対応室外機記憶部７ｃと、通信管理部７ｄとを備えている。室内機制御部７ｂは、試運転時に室外機−１、−２からのＩＤが受信されるとそのＩＤを一時的に対応室外機記憶部７ｃに格納し、循環冷媒の温度変化、例えば冷媒の温度が冷えたことを温度センサ（図示せず）を通じて感知すると、対応室外機記憶部７ｃに格納したＩＤと予め設定された自己のＩＤ（識別情報）とを通信管理部７ｄを通じて設定器８に送信する室外機判別手段を備え、試運転終了後の通常運転時（暖房、冷房などの運転）では、室内機３のコントローラ（図示せず）の操作に基づいてファンモータ、風向を変える風向板モータ（図示せず）などを制御する。機器状態管理部７ａは、室内機制御部７ｂからの制御に基づいてファンモータ、風向板モータなどを運転してその状態を管理する。
【００１３】
次に、本実施の形態１の動作を図５乃至図８に基づいて説明する。図５は設定器の動作を示すフローチャート、図６は試運転時の室外機−１、−２の動作を示すフローチャート、図７は試運転時の全ての室内機の動作を示すフローチャート、図８は空気調和システム上の各機器のシーケンスを示す図である。なお、室外機−１のＩＤを室外ＩＤ＝１とし、室外機−２のＩＤを室外ＩＤ＝２として説明する。
【００１４】
まず、設定器８の操作表示部８ａにより各室内機３のＩＤを入力して試験開始の操作を行い（Ｓ１）、次いで、室外機−１の室外ＩＤ＝１を入力して試験開始の操作を行うと（Ｓ２）、設定器８の機器状態統合部８ｂは、室内機３のＩＤ毎に試運転開始指示を通信管理部８ｃを通じて通信網９上に配信し（図８（ａ）参照）、その後、室外ＩＤ＝１と共に試運転開始指示を通信網９上に配信する（図８（ｂ）参照）。そして、室外機−１の試運転開始から所定時間（例えば５分）経過したかどうかを判定し（Ｓ３）、その時間を経過していないと判断したときは、その判定動作を所定時間経過するまで繰り返し行う。
【００１５】
その所定時間が経過すると、機器状態統合部８ｂは、室外ＩＤ＝１を含ませた試験終了指示を通信網９上に配信して室外機−１に受信させ（図８（ｅ）参照）、試験を終了する（Ｓ４）。その後、操作表示部８ａの操作による室外ＩＤ＝２の入力及び試験開始の指示を検知すると、室外機−２への試験開始と判断して（Ｓ５）、試運転開始指示を室外ＩＤ＝２と共に通信網９上に配信する（図８（ｇ）参照）。そして、図５には図示していないが、室外機−２の試運転開始から所定時間（例えば５分）経過したかどうかを判定し、その時間を経過していないと判断したときは、その判定動作を所定時間経過するまで繰り返し、その時間が経過したときに、試験終了指示を室外ＩＤ＝２と共に通信網９上に配信して室外機−２に受信させ（図８（ｊ）参照）、試験を終了する。
【００１６】
一方、各室外機−１、−２の室外機制御部６ｂは、通信管理部６ｃに試験開始指示が受信されると（Ｓ１１）、その指示を取り込んで自己のＩＤ（室外ＩＤ＝１）が含まれているかどうかを判別する（Ｓ１２）。試験開始指示に自己のＩＤがないと判断したときは、Ｓ１１→Ｓ１２の動作を繰り返して待機状態となり、試験開始指示に自己のＩＤがあると試運転を開始する（Ｓ１３）。この場合は、室外機−１への試験開始指示であるため、室外機−１の室外機制御部６ｂは、本機を駆動して試運転を開始すると共に、自己のＩＤ（室外ＩＤ＝１）を通信管理部６ｃを通じて通信網９上に配信し（Ｓ１４）、試験終了指示が受信されたかどうかを判別する（Ｓ１５）。その指示が受信されていないときは、ここで待機状態となり、受信されたときはその指示に自己のＩＤが含まれているかどうかを判別する（Ｓ１６）。自己のＩＤが含まれていないときはＳ１５に戻って待機状態となる。この時、本機の試運転により冷媒が冷媒配管４を介して３台の室内機３に流れて循環し冷媒温度が低下していく（図８（ｃ）参照）。この試運転状態のときに、設定器８から送信された試験終了指示が室外ＩＤ＝１と共に受信されると（Ｓ１５，Ｓ１６）、室外機−１の室外機制御部６ｂは、本機の試運転を停止して（Ｓ１７）、冷媒の循環を停止させて元の状態にし（図８（ｆ）参照）、待機状態となる。
【００１７】
その後に、設定器８から試験開始指示が室外ＩＤ＝２と共に配信されると、室外機−２の室外機制御部６ｂは、室外機−１と同様に、そのＩＤから自己への試運転開始と判断して（Ｓ１１〜Ｓ１２）、本機を駆動して試運転を開始し（Ｓ１３）、冷媒を冷媒配管５を介して３台の室内機３に流し循環させる（図８（ｈ）参照）。そして、自己のＩＤ（室外ＩＤ＝２）を通信網９上に配信して全ての室内機３に受信させる。その後、設定器８から送信された試験終了指示が室外ＩＤ＝２と共に受信されると（Ｓ１５，１６）、本機の試運転を停止して（Ｓ１７）、冷媒の循環を停止させて元の状態にし（図８（ｋ）参照）、待機状態となる。
【００１８】
一方、各室内機３の室内機制御部７ｂは、通信管理部７ｄに試験開始指示が受信されると（Ｓ２１）、その指示を取り込んで自己のＩＤが含まれているかどうかを判別する（Ｓ２２）。試験開始指示に自己のＩＤがないと判断したときは、Ｓ２１→Ｓ２２の動作を繰り返して待機状態となり、試験開始指示に自己のＩＤがあると試運転を開始する（Ｓ２３）。この場合、全室内機３への試験開始指示であるため、それぞれの室内機制御部７ｂは、通信管理部７ｄを通じて室外機−１、−２からのＩＤが受信されたかどうかを判定し（Ｓ２４）、室外ＩＤ＝１が受信されたときは、そのＩＤを取り込んで一旦、対応室外機記憶部７ｃに格納（仮記憶）する（Ｓ２５）。
【００１９】
そして、各室内機３の室内機制御部７ｂは、それぞれ本機内の温度センサを通じて冷媒配管４を循環する入力冷媒の温度が冷えたかどうかを判定し（Ｓ２６）、冷媒温度が冷えたことを感知したときは（図８（ｄ）参照）、仮記憶したＩＤから室外機−１と関連すると判断してその室外機−１の室外ＩＤ＝１を保持して（Ｓ２７）、本機内に設定されている自己のＩＤと室外ＩＤ＝１とを通信網９上に配信し（Ｓ２８）、設定器８に受信させる。この設定器８へのＩＤ配信は、室外機−１に連結されている３台の室内機３で、室外機−１に近い方から順に行われる。また、残りの３台の室内機３は、待機状態となる。
【００２０】
室外機−１に連結されている３台の室内機３の室内機制御部７ｂは、その後、自己のＩＤが含まれた試験終了指示が受信されるまで待機状態となる（Ｓ２９，Ｓ３０）。この待機中に、図７のフローチャートには図示していないが、設定器８によって設定されたグループＩＤ及びアドレスが受信されると、対応室外機記憶部７ｃに保持している室外ＩＤ＝１と関連付けてその記憶部７ｃに記憶する。そして、自己のＩＤが含まれた試験終了指示が受信されると（Ｓ２９，Ｓ３０）、試運転を終了し（Ｓ３１）、Ｓ２１に戻って待機状態となる。なお、冷媒の冷えを感知しなかった他の室内機３は、仮記憶した室外機−１のＩＤを５分後に消去するようになっている。
【００２１】
また、冷媒配管５に連結されている３台の室内機３においては、室外機−２のＩＤ（室外ＩＤ＝２）受信後に、図８（ｉ）に示すように冷媒の冷えを感知すると（Ｓ２１〜Ｓ２６）、前記と同様に、仮記憶したＩＤから室外機−２と関連すると判断してその室外機−２の室外ＩＤ＝２を保持して（Ｓ２７）、本機内に設定されている自己のＩＤと室外ＩＤ＝２とを通信網９上に配信し（Ｓ２８）、設定器８に受信させる。この設定器８へのＩＤ配信は、室外機−２に連結されている３台の室内機３で、室外機−２に近い方から順に行われる。
【００２２】
室外機−２に連結されている３台の室内機３の室内機制御部７ｂは、前記と同様に、自己のＩＤが含まれた試験終了指示が受信されるまで待機状態となる（Ｓ２９，Ｓ３０）。この待機中に、図７のフローチャートには図示していないが、設定器８によって設定されたグループＩＤ及びアドレスが受信されると、対応室外機記憶部７ｃに保持している室外ＩＤ＝２と関連付けてその記憶部７ｃに記憶する。そして、自己のＩＤが含まれた試験終了指示が受信されると（Ｓ２９，Ｓ３０）、試運転を終了し（Ｓ３１）、Ｓ２１に戻って待機状態となる。なお、室外機−１と連結されている３台の室内機３は、仮記憶した室外機−２のＩＤを５分後に消去するようになっている。
【００２３】
一方、設定器８の機器状態統合部８ｂは、図５には図示していないが、室外機−１に連結されている３台の室内機３から順に送信されたそれぞれの自己のＩＤと室外ＩＤ＝１とが受信されると、受信の順にアドレスを割り当て、そして、室外ＩＤ＝１から同一グループと判断してグループＩＤを割り当てて、そのグループＩＤと各アドレスをそれぞれ組として該当する室内機３に受信させる。この後に、室外機−２に連結されている３台の室内機３から順に送信されたそれぞれの自己のＩＤと室外ＩＤ＝１とが受信されたときは、前記と同様に、アドレスを割り当て、室外ＩＤ＝２から同一グループと判断してグループＩＤを割り当てて、そのグループＩＤと各アドレスをそれぞれ組として室外機２側の３台の室内機３に受信させる。
【００２４】
以上のように本実施の形態１によれば、試運転時に、システム上の全ての室内機３を運転状態にし、各室外機−１、−２を所定間隔で順次に運転させ、室外機−１（室外機−２）は、試運転が開始されると、自己の室外ＩＤ＝１（室外ＩＤ＝２）を全ての室内機３に送信し、全ての室内機３は、その室外ＩＤ＝１（室外ＩＤ＝２）を取り込んで記憶し、室外機から送られたきた循環冷媒の温度が冷えたとき、自己のＩＤと共に室外機−１の室外ＩＤ＝１（室外ＩＤ＝２）を設定器８に送信し、設定器８は、室内機３から順に送信された室内機のＩＤ及び室外機−１の室外ＩＤ＝１（室外ＩＤ＝２）が受信されると、受信の順にアドレスを割り当て、そして、室外ＩＤ＝１から同一グループと判断してグループＩＤを割り当てて、グループＩＤと各ＩＤをそれぞれ該当する室内機３に送信するようにしたので、室外機−１（室外機−２）とこれに連結された複数の室内機３との対応関係が自動的にわかり、複数の室内機３に自動的にアドレスを割り当てることができ、作業者の作業負担を軽減できるという効果がある。
【００２５】
なお、前記の実施の形態１では、室外機と対応関係のある複数の室内機３に対しグループＩＤと個々のアドレスとを割り当てるようにしたが、設定器８の操作表示部８ａにグループ毎のアドレスを室内機３の配置に応じて表示し、その操作表示部８ａの操作に基づいてそのアドレスを変更できるようにしてもよい。このようにアドレスを変更できるようにした場合、作業者に多少の負担をかけるものの、室内機３の配列に応じて任意にアドレスを設定でき、運転時の冷暖房を効率よく行うことが可能になる。
【００２６】
また、冷えた冷媒を感知した順にアドレスを付与するようにしたが、グループ毎の各室内機３にアドレスを割り当てる際、各室内機３に予め設定された位置情報（２次元座標系における位置座標）に基づいて連番のアドレスを割り当てるようにしてもよい。例えば、各室内機３の位置座標からＸ軸方向に並んでいる室内機３を判別して、それぞれに通し番号のアドレスを割り当て、次の列のＸ軸方向の室内機３にアドレスを割り当てる。これにより、アドレスを把握しやすく、アドレスの変更も容易になる。
【００２７】
実施の形態２．
実施の形態１では、室外機と対応関係にある複数の室内機に、設定器がアドレスを割り当てるようにしたが、本実施の形態２は、複数の室外機と、各室外機にそれぞれ連結された複数の室内機と、試運転時に、複数の室内機を運転状態にし、かつ各室外機を所定間隔で順次に運転させる室内機のコントローラとからなり、室外機と対応関係にある室内機相互がアドレスを設定するようにしたものである。実施の形態２の空気調和システムは、設定器８を除いて図１と同じであり、設定器８を室内機３のコントローラ８として説明する、また、室外機−１、−２の室外制御装置６と室内機３の室内制御装置７のブロック構成が基本的に同じであるため、図３及び図４を用いて説明する。
【００２８】
室内機３の室内制御装置７は、試運転時に室外機−１、−２からのＩＤ（室外ＩＤ＝１、室外ＩＤ＝２）が受信されるとそのＩＤを一時的に対応室外機記憶部７ｃに格納し、循環冷媒の温度変化、例えば冷媒の温度が冷えたことを温度センサ（図示せず）を通じて感知すると、他の室内機３によりアドレスが使用されているかどうかを判別し、アドレスが使用されているときは、例えば、そのアドレスの最後尾に続くアドレスを自己のアドレスとし、同一の室外機−１（室外機−２）のＩＤをグループＩＤとして個々に設定するアドレス判別手段と、アドレス判別手段により判別されたアドレス及びグループＩＤと対応室外機記憶部７ｃに格納した室外機−１（室外機−２）のＩＤとをコントローラ８に送信する送信手段とを備えている。コントローラ８は、室内機３のアドレス及びグループＩＤと室外機−１（室外機−２）のＩＤとを関連付けて保持する保持手段を備えている。
【００２９】
次に、実施の形態２の動作を説明するが、コントローラ８の動作は、図５に示すフローチャートと同じであるため割愛し、また、室外機−１、−２の動作は、図６に示すフローチャートと同じであるため割愛して、室内機３の動作を図９に示すフローチャートを参照して説明する。
図９は実施の形態２における室内機の動作を示すフローチャートである。なお、図中に示すステップ番号のうち図７のフローチャートに示すステップ番号と同じ箇所は、実施の形態１の室内機の動作と同じであるため、その箇所については動作説明を省略する。
【００３０】
各室内機３の室内機制御部７ｂは、コントローラ８からの試験開始指示に基づいて試運転に入ると（Ｓ２１〜Ｓ２３）、室外機−１（室外機−２）からの室外ＩＤ＝１（室外ＩＤ＝２）を一時的に対応室外機記憶部７ｃに格納し（Ｓ２４，Ｓ２５）、本機内の温度センサを通じて冷媒配管４を循環する入力冷媒の温度が冷えたかどうかを判定し（Ｓ２６）、冷媒温度が冷えたことを感知したときは、仮記憶したＩＤから室外機−１（室外機−２）と関連すると判断してその室外機−１（室外機−２）の室外ＩＤ＝１（室外ＩＤ＝２）を保持する（Ｓ２７）。その後は、他の室内機３によりアドレスが使用されているかどうかを判別し（Ｓ２７１）、アドレスが使用されていないときは、例えば予め設定された先頭番号を自己のアドレスとし（Ｓ２７２）、また、アドレスが使用されているときは、そのアドレスの最後尾に続くアドレスを自己のアドレスとし（Ｓ２７３）、室外機−１（−２）のＩＤをグループＩＤとする（Ｓ２７４）。
【００３１】
そして、自己のアドレスとグループＩＤとを対応室外機記憶部７ｃに格納した室外機−１（室外機−２）のＩＤと関連付けて保持する。その後は、設定した自己のアドレス及びグループＩＤと対応室外機記憶部７ｃに格納した室外機−１（室外機−２）のＩＤとをコントローラ８に送信する。この一連の動作は、冷媒の温度変化（冷えた冷媒）を感知した室内機３がそれぞれ行う。一方、コントローラ８は、各室内機３から送信されるアドレス及びグループＩＤと室外機−１（室外機−２）のＩＤとを関連付けて保持する。
【００３２】
以上のように実施の形態２によれば、各室内機３は、冷媒の温度が冷えたことを感知すると、他の室内機３によりアドレスが使用されているかどうかを判別し、アドレスが使用されているときは、そのアドレスの最後尾に続くアドレスを自己のアドレスとし、同一の室外機−１（室外機−２）のＩＤをグループＩＤとして個々に設定して、対応室外機記憶部７ｃに格納した室外機−１（室外機−２）のＩＤと共にコントローラ８に送信して保持させるようにしたので、室外機−１（室外機−２）とこれに連結された複数の室内機３との対応関係が自動的にわかり、複数の室内機３に自動的にアドレスを割り当てることができ、作業者の作業負担を軽減できるという効果がある。
【００３３】
なお、前記の実施の形態２では、室内機３側で自己のアドレスとグループＩＤとを設定するようにしたが、コントローラ８の操作表示部８ａにグループ毎のアドレスを室内機３の配置に応じて表示し、その操作表示部８ａの操作に基づいてそのアドレスを変更できるようにしてもよい。このようにアドレスを変更できるようにした場合、作業者に多少の負担をかけるものの、室内機３の配列に応じて任意にアドレスを設定でき、運転時の冷暖房を効率よく行うことが可能になる。
【００３４】
また、冷えた冷媒を感知した順にアドレスを設定するようにしたが、各室内機３に予め設定された位置情報（２次元座標系における位置座標）に基づいて連番のアドレスを割り当てるようにしてもよい。例えば、各室内機３の位置座標からＸ軸方向に並んでいる室内機３を判別して、それぞれに通し番号のアドレスを割り当て、次の列のＸ軸方向の室内機３にアドレスを割り当てる。これにより、アドレスを把握しやすく、アドレスの変更も容易になる。
【図面の簡単な説明】
【００３５】
【図１】本発明の実施の形態１における空気調和システムの概略構成を示す図である。
【図２】空気調和システムに用いられる設定器の概略ブロック構成図である。
【図３】空気調和システムの室外機の概略ブロック構成図である。
【図４】空気調和システムの室内機の概略ブロック構成図である。
【図５】設定器の動作を示すフローチャートである。
【図６】試運転時の室外機−１、−２の動作を示すフローチャートである。
【図７】試運転時の全ての室内機の動作を示すフローチャートである。
【図８】空気調和システム上の各機器のシーケンスを示す図である。
【図９】実施の形態２における室内機の動作を示すフローチャートである。
【符号の説明】
【００３６】
３  室内機、４，５  冷媒配管、６  室外機制御装置、６ａ  機器状態管理部、６ｂ  室外機制御部、６ｃ  通信管理部、７  室内機制御装置、７ａ  機器状態管理部、７ｂ  室内機制御部、７ｃ  対応室外機記憶部、７ｄ  通信管理部、８  設定器（コントローラ）、８ａ  操作表示部、８ｂ  機器状態統合部、８ｃ  通信管理部、９  通信網。
【図１】
2006214689.tif 000003
【図２】
2006214689.tif 000004
【図３】
2006214689.tif 000005
【図４】
2006214689.tif 000006
【図５】
2006214689.tif 000007
【図６】
2006214689.tif 000008
【図７】
2006214689.tif 000009
【図８】
2006214689.tif 000010
【図９】
2006214689.tif 000011